(57)【要約】【課題】  扉開放防止という本来の目的を確実に達成できる扉開放防止具を得る。また、該の目的に加えて操作性にも優れる扉開放防止具を得る。【解決手段】  両開き戸の一方の扉に装着される第１ホルダ１と、両開き戸の他方の扉に装着される第２ホルダ１０１とを備え、第１ホルダ１に設けられた第１係止手段３を第２ホルダ側に挿入して第２ホルダ１０１に設けられた第２係止手段１０３に係止することで第１ホルダ１と第２ホルダ１０１を連結し、これによって前記両開き戸の開放を防止する扉開放防止具であって、第１係止手段３と第２係止手段１０３の両方を同時に操作することで第１係止手段３を第２ホルダ１０１から抜き出して第１ホルダ１と第２ホルダ１０１の連結を放すことができるようにした。【選択図】  図１
2006063720.tif 000002
【特許請求の範囲】
【請求項１】
両開き戸の一方の扉に装着される第１ホルダと、両開き戸の他方の扉に装着される第２ホルダとを備え、前記第１ホルダに前記第２ホルダ方向に進退可能でかつ前記第２ホルダに向けて付勢された連結手段を設け、該連結手段を第２ホルダ側に挿入して前記第１ホルダと前記第２ホルダを連結し、これによって前記両開き戸の開放を防止することを特徴とする扉開放防止具。
【請求項２】
両開き戸の一方の扉に装着される第１ホルダと、両開き戸の他方の扉に装着される第２ホルダとを備え、第１ホルダに設けられた第１係止手段を第２ホルダ側に挿入して第２ホルダに設けられた第２係止手段に係止することで第１ホルダと第２ホルダを連結し、これによって前記両開き戸の開放を防止する扉開放防止具であって、
前記第１係止手段と前記第２係止手段の両方を同時に操作することで前記第１係止手段を前記第２ホルダから抜き出して前記第１ホルダと前記第２ホルダの連結を放すことができるようにしたことを特徴とする扉開放防止具。
【請求項３】
第１係止手段は先端部に第１係止部を有すると共に第２ホルダ方向に進退可能に設けられ、第２係止手段は前記第１係止部に係止する第２係止部を有すると共に該第２係止部を係止方向に常時付勢する第２付勢手段を備えてなることを特徴とする請求項２記載の扉開放防止具。
【請求項４】
第１係止手段を第２ホルダ側に常時付勢する第１付勢手段を備えてなることを特徴とする請求項２又は３記載の扉開放防止具。
【請求項５】
第１係止手段を進退方向に移動操作する第１操作部が第１ホルダの両側面に突出するように設けられ、第２係止手段の係止解除操作を行う第２操作部が第２ホルダの片側側面に突出するように設けられていることを特徴とする請求項２〜４の何れか一項に記載の扉開放防止具。
【請求項６】
第１係止手段と第２係止手段はそれぞれの係止部を対向させて両者を互いに近づく方向に移動させることで両者を係止できることを特徴とする請求項２〜５に記載の扉開放防止具。
【発明の詳細な説明】
【技術分野】
【０００１】
本発明は、キャビネットや戸棚などの両開き戸の開放を防止する扉開放防止具に関する。
【背景技術】
【０００２】
キャビネットや戸棚などの両開き戸は、通常、戸棚本体側に設けた磁石と、扉側に設けた鉄製の吸着材とからなる磁石錠を有し、扉を閉じると吸着材が磁石に吸着されてロックするようになっている。
しかしながら、このような磁石錠は、ある程度の外力が加わるとロックが簡単に解除されてしまうので、幼児などのいたずらにより扉が開いてしまい、キャビネットや戸棚内の物が落下したり、あるいは幼児が戸棚内のを飲食したりするなどのおそれがあり、危険である。また、冷蔵庫の場合は、幼児などが扉を開いたまま放置すると、冷却効果が低下するばかりでなく、電力の無駄使いなる。
【０００３】
このように幼児の悪戯などによる扉の開放を防止する必要性から、扉開放防止具の提案が従来からなされている。従来提案された扉の開放防止具として、例えば、先端部に係止爪を有するほぼＵ字状の係止具が前後方向にスライド可能に収容され、前面に開口部を有し下部に吸着盤が取り付けられて両開き戸の一方の扉に装着される第１のホルダと、前面に開口部を有し下部に吸着盤が取り付けられて前記両開き戸の他方の扉に前記第１のホルダと前面同志を対向させて装着される第２のホルダとを備え、前記扉を閉じたときに前記係止具を前進させてその先端部を前記第２のホルダの開口部内に挿入し、その係止爪を該第２のホルダに係止させるようにしたものがある（特許文献等１参照）。
【特許文献１】実用新案登録第３０４０３０９号公報
【発明の開示】
【発明が解決しようとする課題】
【０００４】
確かに、特許文献１の構成であれば、扉のロック及びロック解除の際に係止具をスライドさせるだけでホルダの本体部を移動させる必要がないため、吸着盤に大きな力が加わることがなく、このため吸着力が低下するおそれがないという従来にない効果を奏することができる。
また、扉を開く際のロックの解除は、Ｕ字状の係止具の両辺を内側に向けて押さえることで第２ホルダとの係止を解除し、その状態で係止具を後方に移動させることにより、係止具を第２ホルダから抜き出すようにすればよく、操作性にも優れている。
しかしながら、係止具は第１ホルダから第２ホルダに亘って付勢されることなく設置されているので、係止が外れてしまうと係止具が第１ホルダ側に移動して第１ホルダと第２ホルダの連結が放れ、扉のロックが解除されてしまう危険性がある。
また、ロック解除操作がＵ字状の係止具の操作だけでよいため、幼児が係止具に悪戯をした際に偶然にロックが解除されてしまう可能性がある。
さらに、Ｕ字状の係止具は、第１ホルダと第２ホルダを連結する機能を有すると共に第２ホルダ側に係脱可能に係止するための係止部材としての機能も有している。そして、係脱可能な係止部材としての機能を発揮すること、及び操作性の観点からＵ字状の係止具はＵ字の両辺を手指で押すと容易に撓む程度の弾性力を有する形状・材質によって形成されていることを要する。
このため、例えば幼児が扉をむりやり開けようとした場合のようにＵ字状の係止具に何らかの力が作用したときにＵ字状の係止具に撓みが生じ、係止が外れてしまう可能性が高い。
以上のように、本物品は本来的には幼児の悪戯による扉開放を防止するものであるが、操作性に優れるが故に幼児の悪戯による扉開放防止という本来の目的を達成するのに若干の弱点があった。
【０００５】
本発明は係る課題を解決するためになされたものであり、扉開放防止という本来の目的を確実に達成できる扉開放防止具を得ることを目的としている。
また、上記の目的に加えて操作性にも優れる扉開放防止具を得ることを目的としている。
【課題を解決するための手段】
【０００６】
本発明に係る扉開放防止具は、両開き戸の一方の扉に装着される第１ホルダと、両開き戸の他方の扉に装着される第２ホルダとを備え、前記第１ホルダに前記第２ホルダ方向に進退可能でかつ前記第２ホルダに向けて付勢された連結手段を設け、該連結手段を第２ホルダ側に挿入して前記第１ホルダと前記第２ホルダを連結し、これによって前記両開き戸の開放を防止することを特徴とするものである。
【０００７】
（２）本発明に係る扉開放防止具は、両開き戸の一方の扉に装着される第１ホルダと、両開き戸の他方の扉に装着される第２ホルダとを備え、第１ホルダに設けられた第１係止手段を第２ホルダ側に挿入して第２ホルダに設けられた第２係止手段に係止することで第１ホルダと第２ホルダを連結し、これによって前記両開き戸の開放を防止するものであって、前記第１係止手段と前記第２係止手段の両方を同時に操作することで前記第１係止手段を前記第２ホルダから抜き出して前記第１ホルダと前記第２ホルダの連結を放すことができるようにしたことを特徴とするものである。
【０００８】
（３）また、上記（２）に記載のものにおいて、第１係止手段は先端側に第１係止部を有すると共に第２ホルダ方向に進退可能に設けられ、第２係止手段は前記第１係止部に係止する第２係止部を有すると共に該第２係止部を係止方向に常時付勢する第２付勢手段を備えてなることを特徴とするものである。
第２係止部を係止方向に常時付勢しているので、幼児が悪戯によって扉をむりやり開けようとした場合のように扉開放防止具の第１ホルダと第２ホルダが離れる方向の力が作用して係止部を外すような力が作用しても、第２係止部が係止方向に常時付勢されているので、係止が外れにくい。
また、幼児が悪戯によって第２係止部の係止を解除しようとしても、第２係止部が係止方向に常時付勢されているので解除が防止され、また、一旦解除動作がなされても幼児が手を放せば再び係止されるので、幼児の悪戯による係止解除が防止される。
【０００９】
（４）上記（２）又は（３）に記載のものにおいて、第１係止手段を第２ホルダ側に常時付勢する第１付勢手段を備えたことを特徴とするものである。
第１係止手段を第２ホルダ側に常時付勢することにより、仮に第１係止手段と第２係止手段の係止が外れても、第１係止手段が第２ホルダから退出するのを防止でき、第１ホルダと第２ホルダの連結を維持できるので、扉の開放を防止できる。
【００１０】
（５）上記（２）〜（４）に記載のものにおいて、第１係止手段を進退方向に移動操作する第１操作部が第１ホルダの両側面に突出するように設けられ、第２係止手段の係止解除操作を行う第２操作部が第２ホルダの片側側面に突出するように設けられていることを特徴とするものである。
操作部をこのような配置にすることで、操作性に優れる。
【００１１】
（６）上記（２）〜（５）に記載のものにおいて、第１係止手段と第２係止手段はそれぞれの係止部を対向させて両者を互いに近づく方向に移動させることで両者を係止できることを特徴とするものである。
【発明の効果】
【００１２】
本発明においては、第１ホルダに第２ホルダ方向に進退可能でかつ第２ホルダに向けて付勢された連結手段を設けたことより、幼児が悪戯をしたとしても連結手段が第２ホルダ側に付勢されているので第１ホルダと第２ホルダの連結が外れにくく幼児の悪戯による扉の開放を可及的に防止できる。
また、第１係止手段と第２係止手段の両方を同時に操作することで前記第１係止手段を前記第２ホルダから抜き出して前記第１ホルダと前記第２ホルダの連結を放すことができるようにしたことにより、幼児の悪戯により第１ホルダと前記第２ホルダの連結が偶然に放れる危険性が少なく扉の開放を確実に防止できる。
【発明を実施するための最良の形態】
【００１３】
図１は本発明の一実施の形態に係る扉開放防止具の分解斜視図、図２は完成状態の平面図、図３は底面図、図４は正面図、図５は背面図、図６は図２の矢視Ａ−Ａ断面図、図７は図４の矢視Ｂ−Ｂ断面図である。以下、図１〜図７を参照にしながら、本実施の形態の構成を詳細に説明する。
本実施の形態に係る扉開放防止具は、両開き戸の一方の扉に装着される第１ホルダ１と、両開き戸の他方の扉に装着される第２ホルダ１０１とから構成される。なお、第２ホルダ１０１の構成を示す符号は１００番代の数字を用い、第１ホルダ１の構成と対応する構成については１の位の数字又は１０の位の数字が第１ホルダ１の構成を示す数字と同じになるようにしている。
本実施の形態に係る扉開放防止具は、第１ホルダ１に設けられた第１係止手段３を第２ホルダ１０１に設けられた第２係止手段１０３に係止することで第１ホルダ１と第２ホルダ１０１を連結し、これによって前記両開き戸の開放を防止するものであって、特に本実施の形態の特徴は、第１係止手段３と第２係止手段１０３の両方を同時に操作することで第１係止手段３を第２ホルダ１０１から抜き出して前記第１ホルダ１と前記第２ホルダ１０１の連結を放してロック解除できるようにした、逆に言えば第１係止手段３と第２係止手段１０３の両方を同時に操作しないと第１係止手段３と第２係止手段１０３の係止を解除できないようにした点にある。
以下、構成を詳細に説明する。
【００１４】
第１ホルダ１と第２ホルダ１０１は部品の共通点が多いので、まず、第１ホルダ１について説明する。
第１ホルダ１は、図１に示すように、半長円状の有底枠体からなる本体５、該本体５内に前後方向移動可能に設置された第１係止手段３、本体５に第１係止手段３を収容した状態で本体５の底部を閉塞する底板７、第１係止手段３に常時付勢力を与えるコイルバネ９、吸着部４５を底板７の下方に突出させた状態で本体５に設置された吸着盤１１、本体５の上面を覆うカバー１３から構成されている。以下、各構成部品をさらに詳細に説明する。
【００１５】
本体５は全体が長円を半割にした形状をした有底枠体からなり、その両側の枠部の一部に切り欠き部を有し、この切り欠き部が、後述する第１係止手段３の操作部３５がが突出するための操作窓１５を構成している。
本体５の中央部には吸着盤１１を取り付けるための係止孔１７が設けられており、該係止孔１７は円形部１７ａと該円形部１７ａに連続する矩形部１７ｂから構成されている。また、本体５の前面（第２ホルダ１０１との対向面）には、第１係止手段３が延出するための開口１９が設けられている（図７参照）。なお、この開口１９は図１では明確には示されていなが、図１における第２ホルダ１０１の前面に設けられた開口１１９と同じものである。
本体５の上面にはカバー１３を取り付けるためにカバー１３と同形状の凹陥部２１が形成されている。
また、本体５の内側、すなわち上面の裏面には、図７に示すように、後述の第１係止手段３のガイド穴３１に挿入されるガイド棒２３が設けられている。さらに、ガイド棒２３の後方にはコイルバネの後端側を支持するための断面コ字状のバネ止め部２５が形成されている。
【００１６】
第１係止手段３は、図１、図７に示されるように、所定の距離を離して配置される２つの側辺２７と、該側辺２７の一端側に設けられて両側辺２７を連結する連結辺２９からなる略コ字形状の板状部材によって形成されている。なお、本実施の形態の第１係止手段は、従来例のＵ字状の係止具のようにそれ自体撓む必要がないので、第１ホルダと第２ホルダを連結するための一定の剛性を有する材料・形状で形成することができる。
両側辺２７の中央部には本体５に形成されたガイド棒２３が挿入されるガイド穴３１が設けられている。また、両側辺２７の後端にはコイルバネ９が挿入されるバネ挿入部３３が設けられている。さらに、両側辺２７の中央には外方に突出する断面半円状の操作部３５が設けられている。
連結辺２９の片方の端部には略直角に屈曲する鉤形の係止部３７が形成され、該係止部３７における屈曲部の先端には傾斜面３９が形成されている。
【００１７】
底板７は本体５と同様に全体が長円を半割にした形状をしており、底板７の中央には後述の吸着盤１１の係止部４３が挿入可能な楕円形の穴４１が設けられている。
吸着盤１１は、本体５に設けた係止孔１７に係止可能な係止部４３と、該係止部４３からスカート状に形成された吸着部４５とかなる。係止部４３は本体５側に設けた係止孔１７の円形部１７ａに挿入できる円形の頭部４３ａと、同じく本体５側に設けた係止孔１７の矩形部１７ｂに挿入可能な断面矩形の頸部４３ｂと、該頸部４３ｂの下方にあって頭部４３ａより大径の円形台部４３ｃとから構成されている。
カバー１３は、本体５と同様の長円を長辺方向で半分にした形状の板材からなる。カバー１３の下面には、図１の破線で示すように、円筒状の枠体からなる吸着盤保持部１３ａが設けられている。吸着盤保持部１３ａは、図６に示すように、組み立て状態において吸着盤１１の頭部４３ａを周囲から保持し、吸着盤１１と本体５の相対移動を防止する。
【００１８】
次に、第２ホルダ１０１の構成について説明する。
第２ホルダ１０１は、半長円状の有底枠体からなる本体１０５、該本体内に設置された第２係止手段１０３、本体１０５に第２係止手段１０３を収容した状態で本体１０５の底部を閉塞する底板１０７、第２係止手段１０３に常時付勢力を与えるコイルバネ１０９、吸着部１４５を底板１０７の下方に突出させた状態で本体１０５に設置された吸着盤１１１、本体１０５の上面を覆うカバー１１３から構成されている。
上記構成のうち、底板１０７、吸着盤１１１、カバー１１３、コイルバネ１０９は、第１ホルダ１と同一の構成であるので、以下においては、第１ホルダ１側と違った構成を有する本体１０５、第２係止手段１０３について説明する。
【００１９】
本体１０５の基本形状は第１ホルダ１の本体５とほぼ同様であり、また吸着盤１１１を取り付けるための係止孔１１７が設けられ、本体１０５の前面に第１係止手段３が挿入するための開口１１９が設けられている点についても同様である。
ただ、本体１０５には本体５とは違って操作窓１１５は片側のみに設けられおり、また、本体１０５の裏面側には、図７に示すように、第２係止手段１０３の貫通穴１３１が回動自在に挿入される軸部材１２３と、コイルバネ１３３の他端側を支持するためのバネ止め部１２５が設けられている。
第２係止手段１０３は、図１、図７に示されるように、略クランク形状をしており、一端側に貫通穴１３１が設けられ、他端側には第１係止手段３と同様の鉤形の係止部１３７が設けられている。貫通穴１３１が設けられた辺には操作部１３５が外方に向けて突出して設けられ、また該辺の内側にはコイルバネ１３３の一端を受けるための凹陥部１３３が設けられている。
【００２０】
上記各部品によって構成される扉開放防止具の組み立て状態について主として図７に基づいて説明する。
まず、第１ホルダ１について説明する。組み立て状態においては、本体５の上面部にカバー１３が設置され（図２参照）、本体５の内部に第１係止手段３が設置され（図２，図７参照）、本体５の下部には底板７が設置され（図３，図４，図５参照）、吸着盤１１が底板７の下方に吸着部４５を延出させて設置される（図４，図５参照）。
【００２１】
本体内に配置された第１係止手段３は、第１係止手段３のガイド穴３１を本体５のガイド棒２３に挿入する。このとき、図７に示すように、第１係止手段３の係止部３７を含む前端面が開口１９から延出する。第１係止手段３の後端側のバネ挿入部３３にはコイルバネ９の一端が挿入され、コイルバネ９の他端が本体５のバネ止め部２５に挿入される。このとき、第１係止手段３はコイルバネ９によって常時前方に付勢されている。そのため、第１係止手段３の操作部３５は本体５の操作窓１５から突出した状態で、操作部３５の前端が操作窓１５の前端に当接している。しかし、操作窓１５と操作部３５との間には後方側に空間があり、第１係止手段３は、操作部３５を後方向に引くことで後方に動かすことができる。
【００２２】
次に第２ホルダ１０１の組み立て状態について説明する。カバー１１３、底板１０７、吸着盤１１１については第１ホルダ１と同様なので、ここでは第２係止手段１０３の設置状態について図７に基づいて説明する。第２係止手段１０３は、貫通穴１３１を本体１０５の軸部材１２３に挿入して軸部材１２３を回動中心軸として回動可能に取り付けられている。この状態で第２係止手段１０３の操作部１３５が本体１０５の操作窓１１５から突出している。第２係止手段１０３は貫通穴１３１の設けられた辺が長円の長軸に平行な状態（図７に示す状態）で、凹陥部１３３とバネ受け部１２５との間にコイルバネ１０９が設置され、第２係止手段１０３はこのコイルバネ１０９によって常時押し上げられる方向に付勢されている。したがって、図７に示す状態で操作部１３５を押すと第２係止手段１０３は軸部材１２３を中心に回動するが、操作部１３５から手を放すと図７の状態に戻る。
【００２３】
上記のように構成された本実施の形態に係る扉開放防止具の使用方法及び動作について説明する。
第１ホルダ１と第２ホルダ１０１の前端面を対向させ、第１ホルダ１の第１係止手段３の前端部を第２ホルダ１０１の開口１１９に挿入する。この時、第１係止手段３の係止部３７の傾斜面３９と第２係止手段１０３の係止部１３７の傾斜面１３９が当接する。当接状態からさらに押し込むと互いの傾斜面がガイドとなって第２係止手段１０３の傾斜面１３９に該傾斜面１３９に対して直交する方向の力が作用し、この力が第２係止手段１０３をコイルバネ１０９の付勢力に抗して回動させる（図７の破線参照）。第２係止手段１０３が回動することで第１係止手段３はさらに前進することができ、互いの鉤形の係止部３７，１３７がお互いを乗り越えると、第２係止手段１０３はコイルバネ１０９の付勢力によって元の位置に戻る。これによって、第１係止手段３と第２係止手段１０３の係止部３７，１３７は図７に示すように互いに係止状態になる。
【００２４】
このようにして、両ホルダ１，１０１を結合した状態で、図８に示すように、例えば、キャビネット５０の扉５１ａ，５１ｂに、両ホルダの当接部を扉の合せ目５３とほぼ一致させ、両吸着盤を扉５１ａ，５１ｂにそれぞれ吸着させる。これにより、扉の開放防止具のキャビネット等への取付けが完了し、扉の開放が防止される。
【００２５】
扉を開放するには、第２係止手段１０３の操作部１３５を押し込み、第２係止手段１０３と第１係止手段３の係止を解除し、この状態で第１係止手段３の操作部３５を後方に移動させる。これによって、第１係止手段３が第２ホルダ１０１から引き抜かれるので、この状態で扉を開放する。
また、再び扉を閉めて開放を防止するには、扉を閉める際に第１係止手段３の操作部３５を操作して第１係止手段３を後方に移動させ、第１係止手段３の先端部が第１ホルダ１の前端面より引き込むようにする。この状態で扉を閉め、その後第１係止手段３の操作部３５から手を離すと、第１係止手段３はコイルバネ９の付勢力によって前方に移動して、前述したのと同様のメカニズムにより第１係止手段３の係止部３７が第２係止手段１０３の係止部１３７と係止する。
このように、一旦扉開放防止具を扉に取り付けた後、扉を開放して、さらに閉める際には第１係止手段３の操作部３５の後方への移動とその後操作部３５から手を放すだけでよく、操作性に優れている。
【００２６】
次に扉開放防止具を扉に取り付けたいわゆるロック状態において、幼児が悪戯した際の作用について説明する。
幼児が第１ホルダ１の操作部３５を後方に移動させようとしても第１係止手段３の先端の係止部が第２係止手段１０３に係止しているので移動しない。また、第１係止手段３の操作部３５の操作によっては第１係止手段３の係止を解除できないので、第１係止手段３に対する悪戯によってロックが解除されることはなく扉の開放が確実に防止される。
【００２７】
また、幼児が悪戯によって、第２係止手段１０３の操作部１３５を押したような場合には、操作部１３５が押されている際は第２係止手段１０３と第１係止手段３の係止が解除状態になる。しかし、解除状態になったとしても、第１係止手段３の先端部が第２ホルダ１０１側に挿入されているかぎり扉は開放しない。しかも、第１係止手段３はコイルバネ９によって常時第２ホルダ１０１側に付勢されているので、第２係止手段１０３と第１係止手段３の係止が解除状態になったとしても第１係止手段３が第２ホルダ１０１から偶然に抜けることはない。第２係止手段１０３の操作部１３５を悪戯していた幼児が操作部１３５から手を放せば第２係止手段１０３はコイルバネ１０９の付勢力によって元の状態に戻り、再び第１係止手段３と係止する。
このように、第２係止手段１０３の操作部が悪戯されたとしても、第２係止手段１０３の操作部１３５の操作と同時に第１係止手段３の操作部３５をコイルバネ９の付勢力に抗して行わない限りロックが解除されることはなく、これが偶然に行われる可能性は少なく安全性が高い。
またさらに、幼児が扉をむりやり開けようとした場合であっても、第１ホルダ１と第２ホルダ１０１を連結する第１係止手段３が一定の剛性を有する材料・形状で形成されているので、従来例のＵ字状の係止具のように第１係止手段３の撓みによって第１係止手段３と第２係止手段１０３の係止が外れることはない。
【００２８】
このように、本実施の形態におては、第１係止手段３を第２ホルダ１０１から引き抜いて扉を開放するには第２係止手段１０３側の操作によって第２係止手段１０３と第１係止手段３の係止を解除し、この解除状態を維持しつつ第１係止手段３側の操作により第１係止手段３を第２ホルダ１０１から引き抜くようにしなければならないので、このような操作が幼児の悪戯で偶然になされることは希であり、扉の開放を可及的に防止できるのである。
また、第１係止手段３の撓みによって第１係止手段３と第２係止手段１０３の係止が外れることもなく、この点でも扉の開放を可及的に防止できるのである。
【００２９】
上記の実施の形態においては、第１ホルダ１の本体５に設けた第１係止手段３をコイルバネ９によって第２ホルダ１０１側に付勢して第２ホルダ１０１の本体１０５側に挿入し、コイルバネ１０９によって常時係止方向に付勢された第２係止手段に係止することで第１ホルダと第２ホルダを連結するようにした例を示した。
しかし、コイルバネ９、コイルバネ１０９のいずれか一方あるいは両方設けなくても、上記実施の形態の他の構成を備えておれば第１ホルダ１と第２ホルダ１０１の連結を放すためには第２係止手段１０３の係止解除操作と第１係止手段３の第２ホルダ側からの引き抜き操作の両方を同時に行わなければならないので、幼児の悪戯による扉の開閉防止という効果を奏することはできる。
【００３０】
また、第１係止手段３と第２係止手段１０３の係止機能をなくし、第１係止手段３をコイルバネ９によって常時第２ホルダ側に付勢されて第１ホルダ１と第２ホルダ１０１を連結する連結手段として構成することもできる。
このようにしても、連結手段として構成された第１係止手段３が常時第２ホルダ１０１側に付勢されているので、幼児の悪戯によって第１ホルダ１と第２ホルダ１０１の連結が簡単に放れることはなく、幼児の悪戯による扉の開閉防止という効果を奏することができる。
【００３１】
なお、上記の実施の形態において示した各部品の形状は一例であり、本発明の機能を発揮する限りにおいて適宜変更可能なことは言うまでもない。
【図面の簡単な説明】
【００３２】
【図１】本発明の一実施の形態に係る扉開放防止具の分解斜視図である。
【図２】本発明の一実施の形態に係る扉開放防止具の平面図である。
【図３】本発明の一実施の形態に係る扉開放防止具の底面図である。
【図４】本発明の一実施の形態に係る扉開放防止具の正面図である。
【図５】本発明の一実施の形態に係る扉開放防止具の背面図である。
【図６】図２の矢視Ａ−Ａ断面図である。
【図７】図４の矢視Ｂ−Ｂ断面図である。
【図８】本発明の一実施の形態に係る扉開放防止具の使用状態の説明図である。
【符号の説明】
【００３３】
１  第１ホルダ
３  第１係止手段
５  第１ホルダの本体
９  第１ホルダ側のコイルバネ
３５  第１ホルダの操作部
１０１  第２ホルダ
１０３  第２係止手段
１０５  第２ホルダの本体
１０９  第２ホルダ側のコイルバネ
１３５  第２ホルダの操作部
【図１】
2006063720.tif 000003
【図２】
2006063720.tif 000004
【図３】
2006063720.tif 000005
【図４】
2006063720.tif 000006
【図５】
2006063720.tif 000007
【図６】
2006063720.tif 000008
【図７】
2006063720.tif 000009
【図８】
2006063720.tif 000010